Podtech/llm-jp-corpus-v4-ja_patent huggingface dataset:
(57)【要約】【課題】従来のハンガーに濡れた衣服を掛けて干すと衣服部の正面内側と背面内側が密着してしまう為、密着した部分の水分が蒸発しにくいので乾燥に時間が掛かるが、本発明ハンガーを使用すると開閉式円弧状の骨部材が水分の蒸発を容易にすることができるので乾燥時間の短縮に効果がある。【解決手段】上記で示した衣服の正面内側と背面内側の密着した部分に開閉式円弧状の骨部材を利用することにより、広い空間を作りだし、通気性を向上させることができる。【選択図】図２
2009213846.tif 000002
【特許請求の範囲】
【請求項１】
ハンガーに掛かる衣服部分の首口から胴体部にハンガー付属開閉式円弧状の骨部材が開口することにより衣服胴体部に通気されるため、濡れた衣服を効率よく経済的に乾燥させることを特徴とするハンガー。
【発明の詳細な説明】
【技術分野】
【０００１】  本発明は、濡れた衣服を効率よく乾燥させることの出来るハンガーに関するものである。
【背景技術】
【０００２】  従来のハンガーに濡れた衣服を掛けて干すと衣服部の正面内側と背面内側が密着してしまう為、密着した部分の水分が蒸発しにくいので図２のＡ部の開閉式円弧状の骨部材が開口して衣服の正面内側と背面内側の間に広い空間を作り、水分の蒸発を容易にすることができた。【０００３】  衣服を本発明ハンガーに掛ける際、図１のＡ部が邪魔にならないように雨傘の開閉を応用した開口部材を有することで従来のハンガーと殆ど変わらない程度の衣服の掛け方ができる。【０００４】  濡れた衣服を本発明ハンガーに掛けたのち、図２のＢ部を上方向に引っ張ることでＣ部が現れ、Ｂ部が下に戻らないようにすることで、Ａ部が開口した状態にし、衣服の正面内側と背面内側に広い空間を作ることができる。【０００５】  ハンガーから衣服を外す場合は、図２のＣ部を押すことによりストッパーが外れＢ部が下がり開口していたＡ部が閉じることで容易に衣服を外すことができる。
【発明の開示】
【発明が解決しようとする課題】
【０００６】  解決しようとする問題点は、従来のハンガーで濡れた衣服を乾かす場合、衣服の正面内側と背面内側が密着しているため、密着した部分の水分が蒸発しにくいので乾燥に時間が掛かる。
【課題を解決するための手段】
【０００７】  本発明は、上記で示した衣服の正面内側と背面内側の密着した部分に開閉式円弧状の骨部材を利用することにより、広い空間を作りだし、通気性を向上させることができる。
【発明の効果】
【０００８】  本発明の開閉式円弧状の骨部材は、濡れた衣服の正面内側と背面内側部分に広い空間ができ、従来のハンガーよりも通気性が良いので乾燥時間も大幅に短縮することが出来た。本発明により日射時間の短い場所や室内での洗濯物も従来のハンガーよりも乾きやすくなった。
【発明を実施するための最良の形態】
【０００９】  ハンガー本体Ｄは、木製、合成樹脂、金属等で成型した方が強度も強く、デザイン的にもよく、安価にできる。【００１０】  図１のＡ部、Ｂ部、Ｃ部は、金属、硬質樹脂、軟質樹脂等で成型加工した部材の方が強度も強く、加工も容易である。図２と同様である。【００１１】  図１のＡ部の開閉式円弧状の骨部材の数量については、複数又は無制限とし、長さを変えても良い。図２と同様である。【００１２】  図２のＣ部については、バネ式によりＢ軸を上方向に引っ張った時に自動的に出てきた方が良い。また、Ｃ部を軽く押すことにより容易にＡ部を閉じることが出来た方が良い。
【図面の簡単な説明】
【００１３】
【図１】ハンガーの開閉式円弧状の骨部材を閉じた状態
【図２】ハンガーの開閉式円弧状の骨部材を開いた状態
【図３】ハンガーの開閉式円弧状の骨部材を開いて下から見た絵
【符号の説明】
【００１４】Ａ  開閉式円弧状の骨部材
Ｂ  吊り下げシャフト
Ｃ  ストッパー
Ｄ  ハンガー本体
【図１】
2009213846.tif 000003
【図２】
2009213846.tif 000004
【図３】
2009213846.tif 000005
(57)【要約】【課題】従来のパターでパッティングすると傾斜により目標より左右に曲がりが大きくプロゴルファー、アマチュア共にパッティングの悩みをもっている人が多い。【解決手段】パターのソウル（打球面）を曲面（Ｒ＝２５０〜９５０ｍｍ）にしパターの上部中央とトウ側及びヒール側に線を入れフックラインのパッティングの時はボールの中央をヒール側線に合わせ打つ。スライスラインのパッティングの時はボールの中央をトウ側線に合わせ打つ。フックラインではスライス（右）回転がかかり、スライスラインではフック回転（左）がかかり曲がりが少なくなりカップインの確立がアップする。ストレートラインではボールをヘッド上部中央の線に合わせカップに向けてアドレスした時安心感がわいてくる。【選択図】図−１
2009213842.tif 000002
【特許請求の範囲】
【請求項１】
ゴルフ用品のソール（打球面）を曲面形状にしパター上部の中央とトウ側及びヒール側に線を入れたパターである。
【発明の詳細な説明】
【技術分野】
【０００１】  本発明はパターヘッドのソール形状変更を図ったゴルフ用品パターヘッドに関する。
【背景技術】
【０００２】従来のパターで傾斜のあるパッティングをした時間借りが大きくカップインは非常にむつかしい。
【発明の開示】
【発明が解決しようとする課題】
【０００３】グリーン上でフックラインのパットは従来のパターを使用した場合は曲がりを考慮して打たないといけない為カップインが非常に難しい。【０００４】グリーン上でスライスラインのパットは従来のパターを使用した場合は曲がりを考慮して打たないといけない為カップインが非常に難しい。【０００５】ゴルフコースグリーン上でストレートラインの場合、従来のパターで打つと打球が目標より左右にぶれ易い。
【課題を解決する為の手段】
【０００６】グリーン上でフックラインの時はパター上部内側線の位置で打つことによりボールにスライス回転がかかり曲がりが少なくなりカップインし易くなる。
【０００７】グリーン上でスライスラインの時はパター上部外側線の位置で打つことによりボールにフック回転がかかり曲がりが少なくなりカップインし易くなる。
【０００８】グリーン上でストレートラインの時はパターの中央（上部中央線）位置で打つ。アドレス時カップにソールを合わせた時安心感を与えてくれる。
【発明の効果】
【０００９】ゴルファーが本パターを使用することでパットに自身がつきスコアーがアップしゴルファーのレベルアップとなる。又プレイヤーがより楽しくプレイできるようになりゴルフの発展に寄与するものと考える。
【発明の実施するための最良の形態】
［図−１］示す通り、パターのソール（打球面）をＡ点、Ｂ点、Ｃ点の円弧２５０〜９５０Ｒで加工する。
【図面の簡単な説明】
【図−１】にて、本発明はパターのソール面を図−１のようにＡ点、Ｂ点、Ｃ点の円弧曲面形状になっている。パッティングの際ストレートラインはＳ線にボールの中心を合わせボールを打つ。フックラインはＩ線にボールの中心を合わせボールを打つ。スライスラインはＯ線にボールの中心を合わせボールを打つ。
【符号の説明】
１）▲Ｒ▼はソウル（打球面）▲Ａ▼点−▲Ｂ▼点−▲Ｃ▼点の円弧の半径である。
２）Ｓ線はストレートパッティングラインの時にボール中心に合わせる目標ラインである。
３）Ｏ線はスライスパッティングラインの時にボール中心に合わせる目標ラインである。
４）Ｉ線はフックスライスパッティングラインの時にボール中心に合わせる目標ラインである
【図−１】
2009213842.tif 000003
(57)【要約】【課題】  本発明は従来にない高さ１ｃｍの首にシワのできない枕を提供する。【解決手段】  厚さ１ｃｍの枕。通常の枕より高さが低く、カバーを簡単にうらゴムで取り替えられ、首のシワをできにくくする効果のある枕。【選択図】図１
2009213848.tif 000002
【特許請求の範囲】
【請求項１】
厚さ１ｃｍの枕。通常の枕より高さが低く、カバーを簡単にうらゴムで取替えられ、首にシワのできない美容枕。
【発明の詳細な説明】
【技術分野】
【０００１】本発明は従来にない高さ１ｃｍの首にシワのできない美容枕である。
【背景技術】
【０００２】従来の枕はほぼ高さも決まっており、安眠のためだけの商品であった。
【発明の開示】
【発明が解決しようとする課題】
【０００３】（イ）高さがあるゆえに首が前に傾斜し、首にシワをつくる要素となっていた。
（ロ）それゆえ枕をはずして寝る人が多いが、その場合タオルなどを敷くことになり、そのタオルがすれてしまうという問題があった。
本発明は以上の問題を解決するためのものである。
【問題を解決するための手段】
【０００４】枕の高さを１ｃｍにして、カバーは冬用と夏用の生地を分けたうらゴムで簡単に取り外しできるタイプである。
【発明の効果】
【０００５】高さが１ｃｍなので首にシワができない。肌ざわりの良いカバー地で安眠ができる。
【発明を実施するための最良の形態】
【０００６】以下、本発明の実施の形態を説明する。
（イ）綿生地に中綿高さ１ｃｍ３５×５０の均一の枕形状
（ロ）カバーはタオル地とベロア風綿素材の２種類で、うらゴムで取り外しができる。
本発明は以上の構成よりなっている。
【図面の簡単な説明】
【０００７】
【図１】本発明の斜視図
【図２】本発明の分解斜視図
【符号の説明】
【０００８】１  ゴムバンド
２  表面カバー
【図１】
2009213848.tif 000003
【図２】
2009213848.tif 000004
(57)【要約】【課題】便座イスに座ることにより、ゆとりある気持ちでようたしができ、痔になりにくい健康イスを提供する。【解決手段】イス（１）の両端（２）を９０度曲げ、真ん中に穴（３）を儲け、両端（２）に４ケ所の穴（４）を設ける。その穴に棒（５）と吸着盤（６）を装着したことを特徴とする。【選択図】図１
2009213844.tif 000002
【特許請求の範囲】
【請求項１】
イス（１）の両端（２）を９０度に曲げ、真ん中に穴（３）を設け、イス（１）の安定の為、両端（２）に４ケ所の穴（４）を設け、その穴に、取り外しのできる棒（５）と吸着（６）を設けた、便座イス。
【発明の詳細な説明】
【技術分野】
【０００１】  この発明は、イスの両端を曲げ、真ん中に穴を開けた便座イスに関するものである。
【背景技術】
【０００２】  従来、洋式トイレは座れて、和式トイレは座れなかった。
【発明の開示】
【発明が解決しようとする課題】
【０００３】  これは次のような欠点があった。
（イ）  長い時間、しゃがんでいると  足がしびれやすかった。
（ロ）  早くようをたそうとして、痔になりやすかった。
（ハ）  痔の人には、良くないしゃがみ方であった。
（ニ）  心にゆとりが  持てなかった。
本発明、これらの欠点を除くためになされたものである。
【課題を解決するための手段】
【０００４】  イス（１）の両端（２）を９０度に曲げ、真ん中に穴（３）を設ける。
そして、両端（２）に  安定をつける為、取り外しの出来る棒（５）と吸着（６）を設ける。
本発明は、以上のような構成よりなる和式用便座イスである。
【発明の効果】
【０００５】  発明は以上のような構造で、これを使用するときは、和式トイレにイスを置き  穴に肛門がくるように座るので、長時間楽にようたしができる。
なお材料は、硬質プラスチック又はそれ以外の物でもよい。
【発明を実施するための最良の形態】
【０００６】    以下、本案の実施の形態について説明する。
（イ）  イス（１）の両端（２）を９０度に曲げ、真ん中に穴（３）を設ける。
（ロ）  イスの両端に４ケ所の穴（４）を設ける。
（ハ）  穴（４）に取り外しの出来る、棒（５）と吸着（６）を設ける。
本案を使用するときは、和式トイレにイス（１）を置き、穴（３）に肛門がくるように座り、楽にようたしができる。
【図面の簡単な説明】
【０００７】
【図１】    本発明の斜視図である。
【図２】    本発明の一部を切り欠いた側面図である。
【符号の説明】
【０００８】    １  イス    ２  両端    ３  真ん中の穴    ４  両端の４ケ所の穴
５  取り外しのできる棒    ６  吸着盤
【図１】
2009213844.tif 000003
【図２】
2009213844.tif 000004
(57)【要約】【課題】    電機掃除機の使用時に、ゴミの吸引の他、ほこりの拭き掃除を、同時にする事ができる、電機掃除機二用途ブラシを提供する。【解決手段】    掃除機ブラシの、起毛布部分の隣に、台座を貼りつけ、この台座に、ゴムひもでつないだマジックテープを装着し、掃除用ドライシートを、起毛布部分とマジックテープの両方に掛かるよう張り付けたことをを特徴とする電機掃除機二用途ブラシ。【選択図】図１
2009213841.tif 000002
【特許請求の範囲】
【請求項１】
掃除機ブラシの、起毛布部分の隣に、台座を貼りつけ、この台座に、ゴムひもでつないだマジックテープを装着し、掃除用ドライシートを、起毛布部分とマジックテープの両方に掛かるよう、張り付けたことを特徴とする電機掃除機二用途ブラシ。
【発明の詳細な説明】
【技術分野】
【０００１】  本発明は、電気掃除機の使用時に、ゴミの吸引の他、ほこりの拭き掃除を、同時にする事ができる、電機掃除機二用途ブラシに関するものである。
【背景技術】
【０００２】  従来、電機掃除機を使用したときは、ゴミの吸引が主で、拭き掃除としての役目は、重要視されておらず、起毛布部分が付いてはいるが、床に接する面も少なく、固定されており、汚れたままであった。
【発明の開示】
【発明が解決しようとする課題】
【０００３】  そのために、次のような問題点があった。
（イ）掃除機使用後、拭き掃除の必要があり、掃除用ドライシートで、もう一度、掃除をしていた。
（ロ）掃除機使用中、起毛布部分の汚れが、気になっていた。
本発明は以上の問題点を解決しようとするものである。
【課題を解決するための手段】
【０００４】  掃除機ブラシの、起毛布部分の隣に、台座を貼りつけ、この台座に、ゴムひもでつないだマジックテープを装着する。掃除用ドライシートを、起毛布部分とマジックテープの両方に掛かるよう張り付ける。以上を特徴とする電機掃除機二用途ブラシである。
【発明の効果】
【０００５】  本発明は、掃除機で、ほこりの拭き掃除が、従来のゴミの吸引と同時にできるので、掃除の時間短縮になる。
また、汚れた掃除用ドライシートは、マジックテープから簡単に剥がせるので、何度でも新しい掃除用ドライシートに取り替える事ができる。
【発明を実施するための最良の形態】
【０００６】  以下、本発明の実施の形態を説明する。
（イ）掃除機ブラシ本体（１）の起毛布部分（２）の隣に、台座（３）を貼りつける
（ロ）ゴムでつないだマジックテープ（４）を、台座（３）に装着する。
（ハ）掃除用ドライシート（５）を、起毛布部分（２）とゴムでつないだマジックテープ（４）の両方に掛かるよう張り付ける。
本発明は、以上の構成よりなっている。
本発明を使用する時は、普通に、掃除機を使えば良い。吸引と、掃除用ドライシート（５）による拭き掃除が、同時にできる。掃除用ドライシート（５）が汚れたら、ゴムでつないだマジックテープ（４）から、はがし、新しい掃除用ドライシート（５）に取り替える。
【図面の簡単な説明】
【０００７】
【図１】本発明の斜視図
【図２】本発明の分解斜視図
【図３】本発明の使用状態を示す斜視図
【符号の説明】
【０００８】      １  掃除機ブラシ本体
２  起毛布部分
３  台座
４  ゴムひもでつないだマジックテープ
５  掃除用ドライシート
【図１】
2009213841.tif 000003
【図２】
2009213841.tif 000004
【図３】
2009213841.tif 000005
(57)【要約】【課題】人間と犬がいっしょに、家の中で気楽に運動ができ、なおかつ安全な健康器具を提供する。【解決手段】ルームランナーの枠（１）、ベルト（２）、主軸（３）、軸（４）の幅を二倍に広げ、ベルト半分の場所に、犬に巻くコルセット（５）を固定した棚（６）を設け、棚の前に餌箱（７）を装着したことを特徴とする。【選択図】図１
2009213845.tif 000002
【特許請求の範囲】
【請求項１】
ルームランナーの枠（１）、ベルト（２）、主軸（３）、軸（４）の幅を二倍に広げ。
ベルト半分の場所に、犬に巻くコルセット（５）を固定した、筒の棚（６）を設け、棚の前に餌箱（７）を設ける。棚は取り外しが可能な健康器具。
【発明の詳細な説明】
【技術分野】
【０００１】  この発明は、人間が走るとベルトが回り、横の犬もいっしょに走る健康器具に関するものである。
【背景技術】
【０００２】  従来、人間が走るルームランナーはあった。
【発明の開示】
【発明が解決しようとする課題】
【０００３】  これは次のような欠点があった。
（イ）  雨、雪の日は外で、散歩  ジョギングが出来なかった。
（ロ）  時間がない。
（ハ）  外に出るのが寒い。
（ニ）  運動不足で肥満になった。
本発明は、これらの欠点を除くためになされたものである。
【課題を解決するための手段】
【０００４】  ルームランナーの枠（１）、ベルト（２）、主軸（３）、軸（４）の幅を二倍に広げベルト半分の場所に、犬に巻くコルセット（５）を固定した  筒の棚（６）を設け、棚の前に餌箱（７）を設ける。そして人間が走るとベルト（２）が回り、犬もいっしょに走る。
本発明は、以上のような構成よりなる健康器具である。
【発明の効果】
【０００５】  発明は以上のような構造で、これを使用するときは、人間が走るとベルトが回り、コルセットで棚に固定された犬が、餌を食べようとしていっしょに走りだす。
なお筒の棚は、硬質プラスチック又は他の材質でもよい。
【発明を実施するための最良の形態】
【０００６】  以下本案の実施の形態について説明する。
（イ）  ルームランナーの枠（１）、ベルト（２）、主軸（３）、軸（４）の幅を二倍に設ける。
（ロ）  ベルト半分の場所に、犬に巻くコルセット（５）を固定した棚（６）を設ける
（ハ）  棚の前に、餌箱（７）を設ける。
本案を使用するときは、人間が走るとベルト（２）が回り、犬もコルセットで棚（６）に固定され、前にある餌を食べたくて  いっしょに走りだす。
【図面の簡単な説明】
【０００７】
【図１】  本発明の斜視図である。
【図２】  本発明の側面図である。
【図３】  本発明の後方図である。
【符号の説明】
【０００８】  １  枠    ２  ベルト    ３  主軸    ４  軸
５  コルセット    ６  棚    ７  餌箱
【図１】
2009213845.tif 000003
【図２】
2009213845.tif 000004
【図３】
2009213845.tif 000005
(57)【要約】【課題】このところ、頻発している、人類にとって未知の菌・ウィルスの感染を防ぐためのマスク。日常生活を送るにあたって、防ぎようのない感染タイプが飛沫型の菌・ウィルスを予防することを課題としている。【解決手段】本発明のマスクを着用し、従来のマスク構造では防ぎきれなかった、皮膚とマスクの隙間から侵入する菌やウィルスを完全遮断し、鼻と口を塞ぐ部分の素材の微細な隙間から侵入してくる菌やウィルスに関しては、内包する徐殺菌機能を有する素材によって、徐殺菌を行う。【選択図】図２
2009213752.tif 000002
【特許請求の範囲】
【請求項１】
鼻と口を塞ぐマスクにおいて、マスクの鼻と口を塞ぐ部分の構造が、３層になっており、除殺菌効果を持つ素材層、あるいは除殺菌効果を持つ液体を含浸させた層を挟み込む構造を有し、マスクの外周の縁が皮膚に接着することで、マスクと皮膚表面との間に生じる隙間が無いことを特徴としたマスク。
【請求項２】
請求項１の本発明のマスクにおいて、マスクの外周の縁が皮膚に接着することでマスクの落下を防ぐことを特徴とした本請求項１のマスク。
【発明の詳細な説明】
【技術分野】
【０００１】
本発明は、マスクと皮膚表面との間に生じる隙間をなくし、菌やウィルスの侵入を不可能にし、更にマスク素材の微細な隙間から侵入した菌やウィルスに関しては、除殺菌効果を持つ素材層、あるいは除殺菌効果を持つ液体を含浸させた層において、除殺菌を行うことを目的とした、マスクに関する。
【背景技術】
【０００２】
従来、風邪の予防などには、口と鼻を覆いかぶせるマスクを装着し、耳にゴム紐をかけるなどして、マスクが落下することを防ぐ形態が一般的である。
【０００３】
又最近、菌やウィルスの侵入を極力防ぐために、顔の形状にフィットする構造を用いたマスクも増えてきている。
【０００４】
しかし、この従来の構造では、皮膚とマスクとの間に隙間が生じることを防ぐことは出来ない。
【特許文献１】特許２００５−０８６０１８号公報
【非特許文献２】特開２００６−２３０９６２号公報
【発明の開示】
【発明が解決しようとする課題】
【０００５】
従来のマスクの機能は、口や鼻に対して直接的に侵入してくる、菌やウィルス、あるいは埃や花粉等をマスク本体によって、防いでいた。
【０００６】
しかし、従来のマスクの構造では、皮膚とマスクとの間に隙間が生じることを防ぎきることはできず、菌やウィルス、あるいは埃や花粉等の侵入を完全に防ぐことはできない。
【０００７】
又最近、顔の形状にフィットする構造を用いたマスクも増えてきてはいるが、尚もまだ皮膚とマスクとの間に隙間が生じてしまい、菌やウィルス、あるいは埃や花粉等の侵入を許してしまう構造である。
【０００８】
本発明のマスクは、マスクの外周の縁が皮膚に接着することで、皮膚とマスクとの間に隙間が生じることを防ぎ、菌やウィルス、あるいは埃や花粉等の侵入を許さない構造である。
【発明の効果】
【０００９】
本発明におけるマスクは、鼻と口を塞ぐ部分の構造が、３層になっており、除殺菌効果を持つ素材層、あるいは除殺菌効果を持つ液体を含浸させた層を挟み込む構造を有し、マスクの外周の縁が皮膚に接着することで、マスクと皮膚表面との間に生じる隙間が無い。
【００１０】
上記構造により、マスクの鼻と口を塞ぐ部分に存在する微細な隙間から侵入した菌やウィルスは３層構造の真ん中の層において、除殺菌され、又、マスクと皮膚の隙間からの菌やウィルスの侵入を防ぐため、従来のマスクよりも、除殺菌効果が圧倒的に高いことが期待できる。
【００１１】
本発明における請求項２のマスク構造は、マスクの落下防止のために、従来耳に掛ける紐が必要であったが、これが不要となり、マスクの外周の縁が皮膚に接着することでマスクの落下を防ぐことができるため、マスクの外周の縁を皮膚に接着させ、その外周部分の粘着力により、マスクの落下を防止することができる。
【発明を実施するための最良の形態】
【００１２】
本発明のマスクを着用し、マスク外周の縁を皮膚にしっかり密着させ、従来のマスクでは防ぐことのできなかった、マスクと皮膚の隙間から侵入する、菌やウィルスを完全にシャットアウトする。
【産業上の利用可能性】
【００１３】
このところ、人の生命に関わる新種の菌・ウィルスが頻発している。
【００１４】
菌やウィルスそれぞれに、様々な感染経路がある。
【００１５】
その中においても、特に飛沫型は日常生活を送っている限り、防ぎようがない。
【００１６】
本発明のマスクを着用すれば、従来のマスクでは防ぐことのできなかった菌やウィルスの侵入経路を防ぎ、構造的に侵入を免れない箇所から侵入してくる菌やウィルスは除殺菌してしまうことで、従来のマスクと比較しても、圧倒的に高い効率で安全な日常生活を確保することができる。
【図面の簡単な説明】
【００１７】
【図１】本発明のマスクの３層構造の断面図。
【図２】本発明のマスクの鼻と口を塞ぐ部分の構造説明図。
【符号の説明】
【００１８】
１  ３層構造となっている本発明のマスクの除殺菌効果を持つ真ん中の層を挟む表面層。
２  ３層構造となっている本発明のマスクの除殺菌効果を持つ真ん中の層。
３  本発明のマスクのうち、粘着力を持ち、皮膚に接着する外周の縁。
【図１】
2009213752.tif 000003
【図２】
2009213752.tif 000004
(57)【要約】      （修正有）【課題】電車等の交通機関の車内で着座した場合に、傘を固定する手段を設けたカバンの提供。【解決手段】ひざの上に置いたカバンの下部Ａに、傘掛けフックを装着する。当該フックは、マジックテープ（登録商標）、およびボタン付ベルトなどにより、たたんだ傘の直径に関係なく、傘とカバンを固定できるものとする。【選択図】図１
2009213715.tif 000002
【特許請求の範囲】
【請求項１】
雨天時、傘を携帯する時、電車等の交通機関、車内の座席に座った場合、ひざの上に置く、カバン下部（図１のA）に、傘掛けフックを装着することにより、両手が自由になり、読書、パソコンなどの操作が容易になる。
また、忘れ物防止にも、つながるものとする。傘掛けフックは、マジックテープ（登録商標）、および、ボタン付ベルトなどで、丸状になるように、取り付け、たたんだ時の傘の直径にあわせることができる。
【発明の詳細な説明】
【実施例】
【０００１】
本発明は、電車等の交通機関の座席に座ったときに、ひざの上に置いた、カバン下部に、傘掛けフックを付けることにより、両手が自由になるものとする。
また、本発明のフックは、マジックテープ（登録商標）、および、ボタン付ベルトなどにより、たたんだ通常の傘の直径に関係なく、、傘とカバンを固定できるものとする。
【図面の簡単な説明】
【０００２】
【図１】に示す様に、電車等の交通機関の座席に座った時の膝の上のカバンの状態を示す。カバン下部（図１のA）に、傘掛けフックを取り付ける。
【図１】
2009213715.tif 000003
(57)【要約】【課題】靴底に空気層を確保して、足のむれ感を解消し、靴底にさらさら感を付与することができる靴のインソールを提供する。【解決手段】靴のインソールは、低密度ポリエチレン、ポリプロピレン又はＥＶＡの粉末を焼結させて得た高分子焼結体である。この高分子焼結体は、分子の３次元網目構造を有する多孔質体である。このインソールは、高分子焼結体をインソールの外形に合わせて成形するか、又はシート状に成形し、インソール外形に合わせて加工することにより製造される。【選択図】図１
2009213583.tif 000002
【特許請求の範囲】
【請求項１】
低密度ポリエチレン、ポリプロピレン及びエチレン酢酸ビニル共重合樹脂からなる群から選択された高分子樹脂材を焼結させて得た高分子焼結多孔質体であって、所定の粒度の高分子粒子が成形金型の中で加圧及び加熱されて隣接する粒子間で融着しあい、３元網目構造を織りなすことにより多孔質体として成形されたものであることを特徴とする靴のインソール。
【発明の詳細な説明】
【技術分野】
【０００１】
本発明は、靴の中敷き、即ちインソールに関し、特に靴底に空気層を確保して足の乾燥状態を改善した靴のインソールに関する。
【背景技術】
【０００２】
靴、特に革靴は、それ自体は硬く、通気性が低い。そこで、歩行時の衝撃を改善し、足のむれを防止するために、靴底のクッション性及び通気性を確保する必要性から、靴の底にインソールを設けることが多い。この靴のインソールとしては、従来、フェルト、ゴムスポンジ、布、ポリエチレン発泡品等により成形されたものがある。
【０００３】
ゴムスポンジ又はフェルト製のインソールは、その厚さ方向に多数の微細孔を設けることにより、通気性を確保し、この微細孔に空気を閉じ込めることにより、むれを防止している。このゴム又はフェルトは、適度な剛性を有するために、体重によりインソールの厚さ方向に圧縮する応力が印加されても、通気性をもつ微細孔が閉塞することが少ない。
【０００４】
一方、布のような繊維質のもの及び発泡品の場合は、クッション性を重視するために、剛性が低いものとなっており、体重により厚さ方向に圧縮されて、空気層を確保することが困難である。
【０００５】
なお、クッション性の改善を目的とした靴の中敷きとして、特許文献１に記載されたものが開示されている。
【０００６】
【特許文献１】特開平１１−９３０５号公報
【発明の開示】
【発明が解決しようとする課題】
【０００７】
しかしながら、上述の従来の靴のインソールにおいて、ゴムスポンジ又はフェルト製のインソールは、適度な剛性があり、また、多少の通気性があり、空気層も形成されるが、足のむれを十分に防止できるものではなかった。また、発泡品及び繊維質構造のものは、クッション性を重視するあまり、荷重が印加された場合に、圧縮されてしまい、空気層を確保することが困難であり、使用時の足のむれを防止するには不十分であった。
【０００８】
本発明はかかる問題点に鑑みてなされたものであって、靴底に空気層を確保して、足のむれ感を解消し、靴底にさらさら感を付与することができる靴のインソールを提供することを目的とする。
【課題を解決するための手段】
【０００９】
本発明に係る靴のインソールは、低密度ポリエチレン、ポリプロピレン及びエチレン酢酸ビニル共重合樹脂（以下、ＥＶＡという）からなる群から選択された高分子樹脂材を焼結させて得た高分子焼結多孔質体であって、所定の粒度の高分子粒子が成形金型の中で加圧及び加熱されて隣接する粒子間で融着しあい、３元網目構造を織りなすことにより多孔質体として成形されたものであることを特徴とする。
【発明の効果】
【００１０】
本発明によれば、３次元方向からの通気性を確保すると共に、適度な硬さを得ることができ、より多くの空気層を靴底に確保することができ、足のむれを確実に防止することができる。
【発明を実施するための最良の形態】
【００１１】
以下、本発明の実施形態について具体的に説明する。図１及び図２は、本発明の実施形態に係る靴のインソールを示す。このインソールは、低密度ポリエチレン、ポリプロピレン及びＥＶＡからなる群から選択された高分子樹脂材の粉末を焼結させて得た高分子焼結多孔質体からなる。図１（ａ）はインソール１の平面図、図１（ｂ）はその側面図である。図１のインソール１は、この高分子焼結多孔質体を、インソール１の外形に合わせて成形するか、又はシート状に成形した後、インソール形状に加工することにより図１に示す形状に成形されたものである。図１（ｂ）に示すように、このインソール１の厚さは一定である。一方、図２（ａ）は他のインソール１の平面図、図２（ｂ）は同じくその側面図である。この図２に示すインソール１は、高分子焼結多孔質体を、所定の厚さ及びインソールの外形に合わせて成形したものである。
【００１２】
この高分子焼結多孔質体は、水槽の中のポンプのフィルタとか、スプレーガンのノズルの塗料フィルタとして使用されているものであるが、フィルタとして使用された場合には、水又は液体を細かい泡状にする作用を有する。
【００１３】
本発明の特徴は、このような材質の高分子焼結体を靴のインソールに適用したことに特徴がある。この高分子焼結体は、分子が３次元の網目構造を有し、多孔質体である。そして、孔径が例えば３０〜７０μｍであり、空孔率が例えば３５〜４０％である。また、この高分子焼結多孔質体は、適度の剛性を有し、人間の体重が印加された程度で、その焼結体の多孔質構造が圧迫されて潰れてしまうことはない。
【００１４】
このため、本発明に係るインソール１は、低密度ポリエチレン等の樹脂材の焼結体からなる多孔質材を使用しているので、靴底に３次元方向からの通気性を確保することができると共に、より多くの空気層を確保することができ、靴底を乾燥状態に保持することができる。このため、靴使用時の足のむれを防止することができ、靴使用者に爽快感を与えることができる。例えば、裸足で靴を履いても足がむれることがない。また、湿度が高い時期でも足がむれることがなく、快適である。更には、雨水が靴底に浸透しても、足に触れることを防止できる。
【００１５】
なお、焼結時の粉末粒子の粒径を適宜調整することにより、多孔質高分子焼結体の目の粗さ又は空孔率を調節することができ、さらさら感を高めたり、クッション性を高めたりすることができる。即ち、高分子樹脂を焼結する際の樹脂の選定及び粒径の調節により、クッション性及び空気層の量、ひいてはさらさら感を制御することができる。また、空気層を確保しつつ、クッション性を高めるために、従来のクッション性を高めた繊維質又は発泡品のインソールを重ねて使用してもよく、又は、本発明の実施形態のインソール１と従来の繊維質又は発泡品のインソールとを貼り合わせて１枚のインソールとしてもよい。
【図面の簡単な説明】
【００１６】
【図１】（ａ）は本発明の実施形態の靴のインソールを示す平面図、（ｂ）は側面図である。
【図２】（ａ）は本発明の他の実施形態の靴のインソールを示す平面図、（ｂ）は側面図である。
【符号の説明】
【００１７】
１：インソール
【図１】
2009213583.tif 000003
【図２】
2009213583.tif 000004
(57)【要約】【課題】様々なサイズの猫砂に適合でき、さらに猫砂と微粉末を容易に分別できるペットのトイレ用スコップを提供する。【解決手段】横幅約２２ｍｍで縦幅約７ｍｍのフルイ孔と横幅約２２ｍｍで縦幅約７ｍｍの孔を幅１から２ｍｍの中線２本で三等分の孔面積になるように仕切ったフルイ孔を交互に配置したことを特徴とするスコップ。【選択図】図１
2009213458.tif 000002
【特許請求の範囲】
【請求項１】
ペットの糞等をすくい乗せるフルイ孔を有するペットのトイレ用スコップにおいて、そのフルイ孔が、横幅約２２ｍｍで縦幅約７ｍｍのものと、
横幅約２２ｍｍで縦幅約７ｍｍの孔を幅１から２ｍｍの中線２本で三等分の孔面積になるように仕切ったもの
以上２種類の孔からなることを特徴とするペットのトイレ用スコップ。
【発明の詳細な説明】
【技術分野】
【０００１】  本発明は、ペットの糞等を猫砂と分離してすくいとり廃棄するための、ペットのトイレ用スコップに関するものである。
【背景技術】
【０００２】  猫など室内で飼うペット用のトイレは、箱様のトイレ容器に一般に猫砂と呼ばれる桿状または粒状物質を敷いたものからなる。猫砂は尿や糞の水分を吸収して凝集する物質で作られている。従来より、ペット用のトイレ清掃の際は、凝集した尿や糞をフルイ状の孔の開いたスコップですくい、汚れていない猫砂をふるい落とした上で廃棄している。そして廃棄により減少した分、新しい猫砂を補充するという使い方が一般的に為されている。
特許文献１には、フルイ孔を任意の大きさに調整できる技術が開示されているが、構造が複雑でかつ操作も容易ではない欠点を有している。
【特許文献１】特開２００４−２４２６５６
【発明の開示】
【発明が解決しようとする課題】
【０００３】  ペットの糞尿で固形化した猫砂のみを複雑な操作をしないで効率的に分離できるペットのトイレ用スコップを本発明の課題とした。
【課題を解決するための手段】
【０００４】  さまざまな大きさのフルイ孔を試行錯誤した結果、本発明に至った。
本発明は、ペットの糞等をすくい乗せるフルイ孔を有するペットのトイレ用スコップにおいて、そのフルイ孔が、横幅約２２ｍｍで縦幅約７ｍｍのものと、横幅約２２ｍｍで縦幅約７ｍｍの孔を幅１から２ｍｍの中線２本で三等分の孔面積になるように仕切ったもの、
以上２種類の孔からなることを特徴とするペットのトイレ用スコップである。
【発明の効果】
【０００５】  本発明のスコップは、いろんな大きさのペットの糞尿で固形化して塊状となった汚れた猫砂のみを面倒な操作を要しないで効率的に除去できる。
【発明を実施するための最良の形態】
【０００６】  本発明の形態を図１、図２、図３に示した。スコップの材質は特に限定しないが、製作の容易さや価格の面で樹脂が好適である。またスコップの厚みは材質の強度にあわせ適宜調整する。図２のように、横幅約２２ｍｍで縦幅約７ｍｍのフルイ孔（大孔）と横幅約２２ｍｍで縦幅約７ｍｍの孔を幅１．５ｍｍの中線２本でおおよそ三等分の孔面積になるように仕切ったフルイ孔（分割孔）を交互に配置し、７行３列となす。ただし、横幅約１６ｍｍで縦幅約７ｍｍのフルイ孔（小孔）はスコップ本体取手部側に最大に離れて二つ配置する。尚、三種類のフルイ孔の横間隔は約３ｍｍとし、縦間隔は約４ｍｍである。スコップ先端から孔までの横距離はおおよそ２０ｍｍで、スコップ先端に近接するフルイ孔の列はスコップ本体の傾斜部に設けられる。またその他のフルイ孔はスコップ底部に設けられる。スコップ上面からスコップ底面までの深さはおおよそ２５ｍｍである。
【図面の簡単な説明】
【０００７】
【図１】本発明のスコップの斜視図
【図２】本発明のフルイ孔詳細図
【図３】本発明のスコップの側面図
【符号の説明】
【０００８】  １．スコップ本体
２．スコップ本体取手部
３．大孔
４．分割孔
５．小孔
６．スコップ本体傾斜部
７．スコップ先端
８．スコップ底部
９．スコップ上面
【図１】
2009213458.tif 000003
【図２】
2009213458.tif 000004
【図３】
2009213458.tif 000005
(57)【要約】【課題】船釣りにおいて一旦セットした仕掛けが釣り船の移動・気象の悪条件下でも仕掛けに異常をもたらさない目的で仕掛け台その物が回転可能な船べり用仕掛け装置を提供できるようにする。【解決手段】回転軸８を介し釣り針９が引っ掛かる回転可能な仕掛け台が踏み防止のため船の進行もしくは風の方向に対して回転位置きめできる構成を考えた。【特許請求の範囲】
【請求項１】
回転する仕掛け台に釣り針固定用マグネット・回転軸・回転位置決め用穴・位置決めピンさらにマグネットを保持する枠の側面の糸の当り部にアール面をもたらしたことを特徴とする絡み防止の回転仕掛け台。
【発明の詳細な説明】
【発明の詳細な説明】
【産業上の利用分野】
【０００１】本発明は船での海釣りの場合、仕掛けは対象魚により当然異なりハリスの長さも変わってくる。また釣り場への移動の時の糸の保管状態・保管場所も注意しなければ移動中に風の影響で糸の絡みを生じ新漁場へ到着しても即投入できない悲惨なことになる。
【背景技術】
【０００２】この種の仕掛け台は各種の物が世の中に出回っている。
マグネットを船の進行方向に同じく長手に船縁に装着したものでは移動中に必ず糸が絡む問題が生じていた。
【発明が解決しようとする課題】
【０００３】本発明は釣船の船縁に簡単に取付可能と同時に釣船の移動中も含めた仕掛けの絡みを防ぐ装置を提供するものである。
【問題を解決するための手段】
【０００４】以上の技術課題を解決し所期の目的を達成するための本発明の仕掛け台は釣り針用固定のマグネットは風力等で飛ばされる従来のような弱いものではなく更に糸の絡み対策で仕掛け台端に回転軸を設け回転可能な仕掛け台装置にある。
【発明を実施するための最良の形態】
【０００５】図１は船釣りの一般的な仕掛けであって２１は幹糸２２はハリス２３は釣り針２４はヨリモドシ２５は錘りである。【０００６】本発明の回転仕掛け台２６は図２の様に釣船の船縁２７に取付けられる。【０００７】図３は請求項１記載の仕掛け台であり４は釣縁への取付板２は両側部にアールを設けたマグネット１を収納する本体である。２の本体の端部には３の側板がある。この側板は本体の高さよりも高く中央部に溝を設けこの溝に糸を落し込み錘りを掛ける構造となっている。もう一方の本体２の端部には回転部がある。【０００８】回転部は回転軸８回転軸上部蝶ナット５回転位置決め用ピン７ａ・回転位置決め用ピン７ａを上下移動用マグネット７ｂ・回転位置決め用持ち部７とさらに回転軸板６で構成される。
【発明の効果】
【０００９】このようにすることで当初の仕掛けをセットしたままの状態で相互の絡みもなく従来のものより格段に性能が向上し釣り場を移動しても即仕掛けの投入作業が行える効果がある。
【図面の簡単な説明】
【図１】釣りの仕掛けの要部である。
【図２】本発明の回転仕掛け台の船縁取付イメージ図である。
【図３】本発明の回転仕掛け台の回転状態の平面図である。
【図４】Ａ−Ａ  断面である。
【図５】Ｂ−Ｂ  断面である。
【図６】Ｃ−Ｃ  断面である。
【符号の説明】
１  マグネット
２  本体
３  側板
４  取付板
５  蝶ナット
６  回転軸受け板
７  持ち部
７ａ  位置決めピン
７ｂ  マグネット
８  回転軸
２１  幹糸
２２  ハリス
２３  釣り針
２４  ヨリモドシ
２５  錘り
２６  回転仕掛け台
２７  船縁
【図１】
2009213454.tif 000002
【図２】
2009213454.tif 000003
【図３】
2009213454.tif 000004
【図４】
2009213454.tif 000005
【図５】
2009213454.tif 000006
【図６】
2009213454.tif 000007
(57)【要約】【課題】本発明は、高齢者や障害者が歩行の補助や立ち上がり、起立姿勢の補助、重心の上下移動のために利用する手すりである。通常、強度確保が不可能なため窓際には手すりを適用されない。カーテンレールに手すりを設けることによって窓際に手すりを設置できるカーテンレール手すりを提供する。【解決手段】窓の両内側に設けられたカーテンレール支持金具のＬ字金具の先端に、伸縮自在の棒軸を縦長に設ける。両側の棒軸の下端にリングを設ける。リングに手すりの両端を差し込んで橋渡す。以上により窓際に手すりを設置できるカーテンレール利用の手すりである。本発明の手すりは、棒軸を伸縮させることにより、適正な高さに位置させることができる。【選択図】図４
2009002128.tif 000002
【特許請求の範囲】
【請求項１】
窓の両内側に設けられたカーテンレール支持のＬ字金具の先端に伸縮自在からなる棒軸を縦長に設け、両側の棒軸の下端にリングを設け、リングに横長長尺状の手すりの両端を差し込んで橋渡してなるカーテンレール利用の手すり。
【発明の詳細な説明】
【技術分野】
【０００１】  本発明は、窓の内側でカーテンレールを支持するＬ字金具を利用し、窓の両側のＬ字金具に伸縮自在の棒軸を取り付け、棒軸の下端に手すりを橋渡すことにより、窓際に手すりを設置できるカーテンレール利用の手すりに関するものである。
【背景技術】
【０００２】  手すりは、高齢者や障害者が歩行の補助や立ち上がり、起立姿勢の補助のために必要なものである。従来は、廊下や玄関の壁際に専ら設置されている。
【発明の開示】
【発明が解決しようとする課題】
【０００３】  手すりを住居に取り付けるには次のような問題点があった。
手すりは、住まいの既存の構造に応じた方法で、壁下地を補強し、強度を確保できるように取り付ける。しかし、窓は強度や安定性を確保することができないため手すりは設置できない。また、戸やドアに手すりをつけると開閉しづらくなり、手すりを使っている時に他の人が開閉すると危険である。実際の住居には、大きな窓がある広い部屋、片側が戸やドアにもう一方が窓になっている構造があり、手すりが必要な箇所でも設置できない場合が多く存在する。
本発明はこれらの問題点を解決するためになされたものである。
【課題を解決するための手段】
【０００４】  窓の両内側に設けられたカーテンレール支持金具のＬ字金具の先端に、伸縮自在の棒軸を縦長に設ける。両側の棒軸の下端にリングを設ける。リングに手すりの両端を差し込んで橋渡す。以上により窓際に手すりを設置できるカーテンレール利用の手すりである。本発明の手すりは、棒軸を伸縮させることにより、適正な高さに位置させることができる。
【発明の効果】
【０００５】  本発明を使用すると従来手すりが適用されなかった窓際に手すりを使うことができて、不要となる時は棒軸を縮めて窓の上方に手すりを上げておくことができる。
敷地や住宅構造上の制約から、玄関の使用が困難な場合は、ベランダや寝室の窓からの出入りも考慮しなければならいが、この時棒軸は、縦手すりとして靴の着脱時の重心の上下移動を助けることができる。
また、窓際に取り付けるものなので、手すりとして利用していない時は物干しとして活用することもできる。
【発明を実施するための最良の形態】
【０００６】  以下、本発明を実施するための最良の形態を説明する。
（イ）カーテンレール（１）を支持するために窓の両内側に設けられたＬ字金具（６）の後部はビス（７）で壁（９）に固定し、Ｌ字金具（６）先端に縦長の伸縮自在の棒軸（３）を設ける。
（ロ）棒軸（３）は、複数の中空筒軸（３ａ）（３ｂ）（３ｃ）を多段式に収納してなる伸縮自在の棒軸（３）である。
（ハ）窓の両側に縦長に設けられた伸縮自在の棒軸（３）の下端にリング（８）を設け、そのリング（８）に横長長尺状の手すり（５）の両端を差込み橋渡して設ける。
本発明は以上の構成よりなる。
本発明を使用する場合は、棒軸（３）を最大下方まで伸ばして用いる。横長の手すりは一般の手すりと同様に床からの高さが、利用者の大腿骨付け根の大転子の高さ（一般的に床から７５０ｍｍの高さ）となるような棒軸を採用する。
窓から出入りする時、出入りする窓の手すりを上に収納し、隣の窓の棒軸を縦手すりとして使い靴の着脱時の重心の上下移動に利用する。
手すりを収納する時、しっかりと棒軸を固定し、落下しないようにする。
【図面の簡単な説明】
【０００７】
【図１】本発明の手すり使用時の斜視図
【図２】本発明の使用例を示す斜視図
【図３】本発明の棒軸の固定状態を示す一部横断面図
【図４】本発明の使用例を示す斜視図
【図５】棒軸断面図
【符号の説明】
【０００８】（１）カーテンレール  （２）窓  （３）棒軸  （４）カーテン  （５）手すり  （６）Ｌ字金具  （７）ビス  （８）リング  （９）壁
【図１】
2009002128.tif 000003
【図２】
2009002128.tif 000004
【図３】
2009002128.tif 000005
【図４】
2009002128.tif 000006
【図５】
2009002128.tif 000007
(57)【要約】【課題】豪雪地での家屋の倒壊，転落死亡事故を無くし独居老人，弱者等の雪下ろしの省力化を進める必用がある。【解決手段】屋根には勾配が有り，左右に掻き取るだけで雪は落下する。屋根形状は色々有り１軒、１軒の形状に合わせた機械が必要となる。【選択図】図１
2009002131.tif 000002
【特許請求の範囲】
【請求項１】
枠内下部を駆動上部を空転とする事で移動可能な羽根車
【請求項２】
モーター回転により羽根車軸伸縮を可能とする装置
【請求項３】
モーターに振動防止を付ける事で配線切れを防ぐ装置
【発明の詳細な説明】
【０００１】本発明は２対の枠内を広範囲に移動する羽根車により雪下ろしを行う装置である。
【背景の技術】
【０００２】現在市販されているチェンコンベアー、ベルトコンベアー、ネットコンベアー、スクリューコンベアー，キャタビラ等雪降しに考えられる、物のシャフトはいずれも２本で固定されておりそれ自体が駆動出来る解ではない。
広範囲に設置しようとすれば，大重量となり家その物が潰れてしまう，従って雪降しには不向きである。
【発明の開示】
【発明が解決しようとする課題】
【０００３】軽量かつ広範囲を移動する必要がある。
【課題を解決する為の手段】
【０００４】シャフトを出来るだけパイプ化し，又１本で駆動しなければならない。その為には枠構造をパイプ化し、その内部上方を空転、下方を駆動、チエンは溶接にて固定する必要がある。２対の枠内に，パイプ羽根車を両軸モーターで駆動する事で全ては可能となり，振れ防止を付ける事で配線切れが防げる。
【０００５】屋根構造により，長方形屋根以外の張り出し部を補うにはモーター側枠の左右、如くは一方を湾曲延長する必要が有りワイヤー付き伸縮部が必要となる。
【０００６】モーター配線は羽根車の羽根無し部で絡め取って行く事が出来る．モーター正転、逆転はパイプ枠端部のリッミットスッチで行うものとする。
【発明の効果】
【０００７】豪雪地での家屋の倒壊，雪降しの時の転落，死亡事故を無くする事が出来るし雪降しの省力化を計る事が出来る
【発明を実施する為の最良の形態】
【０００８】温度センサーをもつてモータースイッチを入れる事が望ましい。量産化する為には円形旋回方式も在りえる。
【産業上の利用化能性】
【０００９】攪拌装置にも転用可能である。
【図１】
2009002131.tif 000003
【手続補正書】
【提出日】平成19年8月12日(2007.8.12)
【手続補正１】
【補正対象書類名】特許請求の範囲
【補正対象項目名】全文
【補正方法】変更
【補正の内容】
【特許請求の範囲】
【請求項１】
枠内下部駆動上部を空転とする事で移動可能な羽根車
【請求項２】
モーター回転により羽根車軸伸縮を可能とする装置
【手続補正２】
【補正対象書類名】明細書
【補正対象項目名】０００４
【補正方法】変更
【補正の内容】
【０００４】シャフトを出来るだけパイプ化し、又１本で駆動しなければならない。その為には枠構造をパイプ化し、その内部上方を空転、下方を駆動、チェンは溶接にて固定する必要がある。２対の枠内に、パイプ羽根車をテーパーギャボックスで継ぐ、ボックス上に正転、逆転の出来るテーパギャーを付けたモーターを取り付ける。パイプ枠両端部にリミットスイッチとパイプを立てワイヤーを継ぐ、配線をカーテン状に吊るす事により配線切れを防ぐ。
【手続補正３】
【補正対象書類名】明細書
【補正対象項目名】０００６
【補正方法】削除
【補正の内容】
【手続補正４】
【補正対象書類名】図面
【補正対象項目名】全図
【補正方法】変更
【補正の内容】
【図１】
2009002131.tif 000004
【手続補正書】
【提出日】平成19年8月17日(2007.8.17)
【手続補正２】
【補正対象書類名】明細書
【補正対象項目名】全文
【補正方法】変更
【補正の内容】
【発明の詳細な説明】
【０００１】本発明は２対の枠内を広範囲に移動する羽根車により雪下ろしを行う装置である。
【背景の技術】
【０００２】現在市販されているチェンコンベアー、ベルトコンベアー、ネットコンベアー、スクリューコンベアー，キャタビラ等雪降しに考えられる、物のシャフトはいずれも２本で固定されておりそれ自体が駆動出来る解ではない。
広範囲に設置しようとすれば，大重量となり家その物が潰れてしまう，従って雪降しには不向きである。
【発明の開示】
【発明が解決しようとする課題】
【０００３】軽量かつ広範囲を移動する必要がある。
【課題を解決する為の手段】
【０００４】シャフトを出来るだけパイプ化し，又１本で駆動しなければならない。その為には枠構造をパイプ化し、その内部上方を空転、下方を駆動、チエンは溶接にて固定する必要がある。２対の枠内に，パイプ羽根車を両軸モーターで駆動する事で全ては可能となり，振れ防止を付ける事で配線切れが防げる。
【０００５】屋根構造により，長方形屋根以外の張り出し部を補うにはモーター側枠の左右、如くは一方を湾曲延長する必要が有りワイヤー付き伸縮部が必要となる。
【０００６】モーター配線は羽根車の羽根無し部で絡め取って行く事が出来る．モーター正転、逆転はパイプ枠端部のリッミットスッチで行うものとする。
【発明の効果】
【０００７】豪雪地での家屋の倒壊，雪降しの時の転落，死亡事故を無くする事が出来るし雪降しの省力化を割る事が出来る
【発明を実施する為の最良の形態】
【０００８】温度センサーをもつてモータースイッチを入れる事が望ましい。量産化する為には円形旋回方式も在りえる。
【産業上の利用化能性】
【０００９】攪拌装置にも転用可能である。
【図面の簡単な説明】
【００１０】
【図１】雪降し省力化装置の全体図
2009002131.tif 000005
(57)【要約】【課題】  この発明は、雨樋の竪樋に取り付ける帯状の輪を設け、帯状の輪の表面に突起物を設けたもので、人が登れないように、鋭い突起物を付けた雨樋の竪樋用泥棒防止具を提供する。【解決手段】  雨樋の竪樋（１）に取り付ける帯状の輪（２）を設け、帯状の輪（２）の表面に突起物（３）を設けたことを特徴とした、雨樋の竪樋用泥棒防止具。【選択図】図１
2009002132.tif 000002
【特許請求の範囲】
【請求項１】
雨樋の竪樋（１）に取り付ける帯状の輪（２）を設け、帯状の輪（２）の表面に突起物（３）を設けたことを特徴とした、雨樋の竪樋用泥棒防止具。
【発明の詳細な説明】
【技術分野】
【０００１】  この発明は、雨樋の竪樋の部分に数ミリ位の鋭い突起をつけた輪に関する物である。
【背景技術】
【０００２】  従来、雨樋の竪樋は、どの家にも設置されており、家とは１ｃｍ位の輪で何箇所か留め付けられている。
【発明の開示】
【発明が解決しようとする課題】
【０００３】  これは次のような課題があった。
従来、竪樋は、雨水の排水にはかかせない物であるが、この竪樋を登って二階の窓やベランダに侵入することが出来る。
本発明は、以上のような課題を無くすためになされたものである。
【課題を解決する為の手段】
【０００４】  雨樋の竪樋（１）に取り付ける帯状の輪（２）を設け、帯状の輪（２）の表面に突起物（３）を設ける。
以上のように構成された雨樋の竪樋用泥棒防止具。
【発明の効果】
【０００５】  突起物の留め輪がついたことにより、容易には竪樋に登って行くことが出来ず泥棒の侵入を防ぐことが出来る。
【発明を実施する為の最良の形態】
【０００６】  以下、本発明を実施するための最良の形態について説明する。
雨樋の竪樋（１）と家とを留めつけている１ｃｍ位の金具が数箇所ある、その上部に金属製もしくは竪樋と同じ素材で作った帯状の輪（２）を、輪（２）の表面には数ミリ位の鋭い突起物（３）を設け、輪の長さは自由だが大体５〜１０ｃｍ位で、輪の大きさは竪樋に密着させる、これを竪樋に固定して留めつける。
本発明は、以上のような構造である。
これを留めつけた竪樋には、突起物にじやまされて容易に登ることが出来ない。
【図面の簡単な説明】
【０００７】
【図１】  本発明の斜視図である。
【図２】  本発明の拡大斜視図である。
【符号の説明】
【０００８】  １          雨樋の竪樋
２          帯状の輪
３          鋭い突起物
【図１】
2009002132.tif 000003
【図２】
2009002132.tif 000004